(57)【要約】【課題】二次電池を適切なタイミングで保護状態することにより電池パックの使用上の安全性をより向上させることが可能な保護回路、保護方法を提供することを目的としている。【解決手段】二次電池の異常を検出した回数に二次電池を保護するタイミングが設定されるため、カウンタがオフされて遅延時間が初期化されて場合にも二次電池を適切なタイミングで保護状態することができ、電池パックの使用上の安全性をより向上させることができる。【選択図】図１
2010259125.tif 000002
【特許請求の範囲】
【請求項１】
二次電池と負荷又は充電装置との間に接続され、前記二次電池を保護する保護回路であって、
前記二次電池と前記負荷又は前記充電装置とを接続する配線に設けられたスイッチ手段と、
前記二次電池の異常を検出する異常検出手段と、
前記二次電池の異常が検出されてから所定時間が経過した後に前記スイッチ手段をオフさせる制御手段と、
前記異常検出手段により異常が検出された回数が記憶される記憶手段と、を有し、
前記制御手段は、前記記憶手段に記憶された前記回数が所定回数以上であるとき、前記所定時間が経過する前に前記スイッチ手段をオフさせる保護回路。
【請求項２】
二次電池と負荷又は充電装置とに接続され、前記二次電池と前記負荷又は前記充電装置とを接続する配線に設けられたスイッチ手段のオン／オフを制御して前記二次電池を保護する保護回路であって、
前記二次電池の異常を検出する異常検出手段と、
前記二次電池の異常が検出されてから所定時間が経過した後に前記スイッチ手段をオフさせる制御手段と、
前記異常検出手段により異常が検出された回数が記憶される記憶手段と、を有し、
前記制御手段は、前記記憶手段に記憶された前記回数が所定回数以上であるとき、前記所定時間が経過する前に前記スイッチ手段をオフさせる保護回路。
【請求項３】
前記異常が検出されてから前記スイッチ手段がオフされるまでの前記所定時間を変更する変更手段を有し、
前記変更手段は、
前記記憶手段に記憶された前記回数が所定回数以上であるとき、前記所定時間を短くする請求項１又は２記載の保護回路。
【請求項４】
前記二次電池の保護を解除するか否かを判断する解除判断手段を有し、
前記解除判断手段が、前記二次電池の保護を解除すると判定した場合に、前記記憶手段に記憶された前記回数が所定回数以上であるとき、
前記制御手段は、
前記スイッチ手段をオフさせたままとする請求項１ないし３の何れか一項に記載の保護回路。
【請求項５】
二次電池と負荷又は充電装置とを接続する配線に設けられたスイッチ手段を有し、前記二次電池と前記負荷又は前記充電装置との間に接続されて前記二次電池を保護する保護回路による保護方法であって、
前記二次電池の異常を検出する異常検出手順と、
前記二次電池の異常が検出されてから所定時間が経過した後に前記スイッチ手段をオフさせる制御手順と、
前記二次電池の異常が検出された回数を記憶させる記憶制御手順と、を有し、
前記制御手順は、前記記憶制御手順において記憶させた前記回数が所定回数以上であるとき、前記所定時間が経過する前に前記スイッチ手段をオフさせる保護方法。
【請求項６】
二次電池と負荷又は充電装置とに接続され、前記二次電池と前記負荷又は前記充電装置とを接続する配線に設けられたスイッチ手段のオン／オフを制御して前記二次電池を保護する保護回路による保護方法であって、
前記二次電池の異常を検出する異常検出手順と、
前記二次電池の異常が検出されてから所定時間が経過した後に前記スイッチ手段をオフさせる制御手順と、
前記二次電池の異常が検出された回数を記憶させる記憶制御手順と、を有し、
前記制御手順は、前記記憶制御手順において記憶させた前記回数が所定回数以上であるとき、前記所定時間が経過する前に前記スイッチ手段をオフさせる保護方法。
【発明の詳細な説明】
【技術分野】
【０００１】
本発明は、二次電池と負荷又は充電装置との間に接続されており、前記二次電池を保護する保護回路、保護方法に関する。
【背景技術】
【０００２】
近年では、リチウムイオン電池等の二次電池で駆動するデジタルカメラや携帯電話等の携帯機器が普及している。リチウムイオン電池等の二次電池は過充電や過放電に弱いため、過充電及び過放電等の電池異常から二次電池を保護する保護回路を備えた電池パックの形態で使用される。例えば特許文献１には、電池パックが指定外の充電装置で充電された場合に電池パックを保護する技術が開示されている。
【０００３】
従来の保護回路は、電池異常として、過充電、過放電、放電過電流、充電過電流、異常充電器検出、短絡検出等を検出する検出回路を有している。保護回路は、各検出回路において電池異常を検出してから所定の遅延時間経過後、二次電池に対する充電又は放電を禁止することで二次電池を保護状態とする。遅延時間のカウントは、保護回路の有するカウンタにより行われる。保護回路に設けられたカウンタは、各検出回路からの異常検出の信号によりオン／オフが制御される。
【先行技術文献】
【特許文献】
【０００４】
【特許文献１】特開２００６−９２８５０号公報
【発明の概要】
【発明が解決しようとする課題】
【０００５】
従来の保護回路では、例えば検出回路からのノイズや充電中の瞬間的な放電等の実使用上の要因によりカウンタがオフされる場合がある。従来の保護回路では、カウンタがオフされると遅延時間が初期化される。このため従来の保護回路では、電池異常を検出した後の遅延時間のカウント中にカウンタがオフされると、遅延時間が経過したことを検出できず、二次電池を適切なタイミングで保護状態とすることができない。
【０００６】
本発明は、上記事情を鑑みてこれを解決すべくなされたものであり、二次電池を適切なタイミングで保護状態することにより電池パックの使用上の安全性をより向上させることが可能な保護回路、保護方法を提供することを目的としている。
【課題を解決するための手段】
【０００７】
本発明は、上記目的を達成するために、以下の如き構成を採用した。
【０００８】
本発明は、二次電池（１１０）と負荷（１３０）又は充電装置（１２０）との間に接続され、前記二次電池（１１０）を保護する保護回路（１００）であって、
前記二次電池（１１０）と前記負荷（１３０）又は前記充電装置（１２０）とを接続する配線に設けられたスイッチ手段（Ｍ１０、Ｍ２０）と、
前記二次電池（１１０）の異常を検出する異常検出手段（２１０）と、
前記二次電池（１１０）の異常が検出されてから所定時間が経過した後に前記スイッチ手段（Ｍ１０、Ｍ２０）をオフさせる制御手段（２２０）と、
前記異常検出手段（２１０）により異常が検出された回数が記憶される記憶手段（２３０）と、を有し、
前記制御手段（２２０）は、前記記憶手段（２３０）に記憶された前記回数が所定回数以上であるとき、前記所定時間が経過する前に前記スイッチ手段（Ｍ１０、Ｍ２０）をオフさせる構成とした。
【０００９】
本発明は、二次電池（１１０）と負荷（１３０）又は充電装置（１２０）とに接続され、前記二次電池（１１０）と前記負荷（１３０）又は前記充電装置（１２０）とを接続する配線に設けられたスイッチ手段（Ｍ１０、Ｍ２０）のオン／オフを制御して前記二次電池（１１０）を保護する保護回路（２００）であって、
前記二次電池（１１０）の異常を検出する異常検出手段（２１０）と、
前記二次電池（１１０）の異常が検出されてから所定時間が経過した後に前記スイッチ手段（Ｍ１０、Ｍ２０）をオフさせる制御手段（２２０）と、
前記異常検出手段（２１０）により異常が検出された回数が記憶される記憶手段（２３０）と、を有し、
前記制御手段（２２０）は、前記記憶手段（２３０）に記憶された前記回数が所定回数以上であるとき、前記所定時間が経過する前に前記スイッチ手段（Ｍ１０、Ｍ２０）をオフさせる構成とした。
【００１０】
また本発明の保護回路は、前記異常が検出されてから前記スイッチ手段（Ｍ１０、Ｍ２０）がオフされるまでの前記所定時間を変更する変更手段（２２５）を有し、
前記変更手段（２２５）は、
前記記憶手段（２３０）に記憶された前記回数が所定回数以上であるとき、前記所定時間を短くする構成としても良い。
【００１１】
また本発明の保護回路は、前記二次電池（１１０）の保護を解除するか否かを判断する解除判断手段（２２６）を有し、
前記解除判断手段（２２６）が、前記二次電池（１１０）の保護を解除すると判定した場合に、前記記憶手段（２３０）に記憶された前記回数が所定回数以上であるとき、
前記制御手段（２２０）は、
前記スイッチ手段（Ｍ１０、Ｍ２０）をオフさせたままとする構成としても良い。
【００１２】
本発明は、二次電池（１１０）と負荷（１３０）又は充電装置（１２０）とを接続する配線に設けられたスイッチ手段（Ｍ１０、Ｍ２０）を有し、前記二次電池（１１０）と前記負荷（１３０）又は前記充電装置（１２０）との間に接続されて前記二次電池（１１０）を保護する保護回路（１００）による保護方法であって、
前記二次電池（１１０）の異常を検出する異常検出手順（ステップＳ４０２）と、
前記二次電池（１１０）の異常が検出されてから所定時間が経過した後に前記スイッチ手段を（Ｍ１０、Ｍ２０）オフさせる制御手順（ステップＳ４０８）と、
前記二次電池（１１０）の異常が検出された回数を記憶させる記憶制御手順（ステップＳ４０３）と、を有し、
前記制御手順（ステップＳ４０８）は、前記記憶制御手順（ステップＳ４０３）において記憶させた前記回数が所定回数以上であるとき、前記所定時間が経過する前に前記スイッチ手段（Ｍ１０、Ｍ２０）をオフさせる方法とした。
【００１３】
本発明は、二次電池（１１０）と負荷（１３０）又は充電装置（１２０）とに接続され、前記二次電池（１１０）と前記負荷（１３０）又は前記充電装置（１２０）とを接続する配線に設けられたスイッチ手段（Ｍ１０、Ｍ２０）のオン／オフを制御して前記二次電池（１１０）を保護する保護回路（２００）による保護方法であって、
前記二次電池（１１０）の異常を検出する異常検出手順（ステップＳ４０２）と、
前記二次電池（１１０）の異常が検出されてから所定時間が経過した後に前記スイッチ手段をオフさせる制御手順（ステップＳ４０８）と、
前記二次電池（１１０）の異常が検出された回数を記憶させる記憶制御手順（ステップＳ４０３）と、を有し、
前記制御手順（ステップＳ４０８）は、前記記憶制御手順（ステップＳ４０３）において記憶させた前記回数が所定回数以上であるとき、前記所定時間が経過する前に前記スイッチ手段（Ｍ１０、Ｍ２０）をオフさせる方法とした。
【００１４】
尚上記括弧内の参照符号は、理解を容易にするために付したものであり、一例にすぎず、図示の態様に限定されるものではない。
【発明の効果】
【００１５】
本発明によれば二次電池を適切なタイミングで保護状態することにより電池パックの使用上の安全性をより向上させることができる。
【図面の簡単な説明】
【００１６】
【図１】第一の実施形態の保護回路を説明する図である。
【図２】第一の実施形態の論理回路の機能構成を説明する図である。
【図３】第一の実施形態の保護ＩＣの基本的な動作を説明するフローチャートである。
【図４】第一の実施形態の保護ＩＣの特徴的な動作を説明するフローチャートである。
【図５】第二の実施形態の論理回路の機能構成を説明する図である。
【図６】第二の実施形態の保護ＩＣの動作を説明するフローチャートである。
【図７】第三の実施形態の論理回路の機能構成を説明する図である。
【図８】第三の実施形態の保護ＩＣの動作を説明するフローチャートである。
【発明を実施するための形態】
【００１７】
本発明は、二次電池の異常を検出した回数に二次電池を保護するタイミングが設定されるため、カウンタがオフされて遅延時間が初期化されて場合にも二次電池を適切なタイミングで保護状態することができ、電池パックの使用上の安全性をより向上させることができる。
（第一の実施形態）
以下に図面を参照して本発明の第一の実施形態について説明する。図１は、第一の実施形態の保護回路を説明する図である。
【００１８】
本実施形態の保護回路１００は、二次電池１１０と充電器１２０又は負荷１３０との間に接続されている。保護回路１００は、充電器１２０からの二次電池１１０に対する過充電、二次電池１１０から負荷１３０への過放電等の電池異常から二次電池１１０を保護する。
【００１９】
保護回路１００は、二次電池１１０と接続される端子Ｔ１０、Ｔ２０と、充電器１２０又は負荷１３０と接続される端子Ｔ３０、Ｔ４０とを有する。端子Ｔ１０は二次電池１１０の正極と接続され、端子Ｔ２０は、二次電池１１０の負極と接続される。端子Ｔ３０は充電器１２０又は負荷１３０の正極へ接続され、端子Ｔ４０は充電器１２０又は負荷１３０の負極へ接続される。
【００２０】
本実施形態の保護回路１００は、トランジスタＭ１０、トランジスタＭ２０、保護ＩＣ２００を有する。トランジスタＭ１０、トランジスタＭ２０は、二次電池１１０への充電及び放電の制御に用いられるスイッチ手段である。保護ＩＣ２００は、二次電池１１０の電池異常を検出してトランジスタＭ１０、トランジスタＭ２０のオン／オフを制御し、二次電池１１０に対する充電又は放電を禁止する。
【００２１】
保護ＩＣ２００は、端子ＶＤＤ、端子ＶＳＳ、端子ＤＯＵＴ、端子ＣＯＵＴ、端子Ｖ−を有する。端子ＶＤＤは、二次電池１１０の正極に接続される端子Ｔ１０と、抵抗Ｒ１を介して接続される。端子ＶＳＳは、二次電池１１０の負極と接続される端子Ｔ２０と接続される。
【００２２】
端子ＤＯＵＴはトランジスタＭ１０のゲートに接続されており、端子ＣＯＵＴはトランジスタＭ２０のゲートと接続されている。端子Ｖ−は、抵抗Ｒ２を介して端子Ｔ４０と接続されている。
【００２３】
保護ＩＣ２００は、異常検出回路２１０、論理回路２２０、レジスタ２３０、発振回路２４０、遅延回路２５０、レベルシフト回路２６０、過大充電器２７０を有する。
【００２４】
保護ＩＣ２００において、異常検出回路２１０は、二次電池１１０の電池状態の異常を検出すると、異常を検出したことを示す異常検出信号を論理回路２２０と発振回路２４０とに送信する。発振回路２４０は、異常検出信号を受けてオンされ、クロック信号の生成を開始する。発振回路２４０で生成されたクロック信号は、遅延回路２５０へ供給される。遅延回路２５０は、所定の遅延時間が経過すると異常検出信号を論理回路２２０へ送信する。論理回路２２０は、異常検出信号を受けるとトランジスタＭ１０又はトランジスタＭ２０をオフさせる。
【００２５】
尚本実施形態の論理回路２２０は、過充電が検出された場合はトランジスタＭ２０をオフさせて充電を禁止し、二次電池１１０を保護状態とする。また本実施形態の論理回路２２０は、過放電が検出された場合はトランジスタＭ１０をオフして放電を禁止し、二次電池１１０を保護状態とする。
【００２６】
また本実施形態の論理回路２２０は、異常検出回路２１０から異常検出信号を受けると、異常が検出された回数（異常検出回数）をレジスタ２３０へ記憶させる。本実施形態の論理回路２２０は、レジスタ２３０に記憶された異常検出回数が予め設定された所定回数以上となったとき、トランジスタＭ１０又はトランジスタＭ２０をオフさせる。
【００２７】
本実施形態の異常検出回路２１０は、過充電検出回路２１１、過放電検出回路２１２、放電過電流検出回路２１３、充電過電流検出回路２１４、短絡検出回路２１５を有する。尚本実施形態の異常検出回路２１０は、各検出回路から出力される信号を異常検出信号として出力する。
【００２８】
過充電検出回路２１１は、二次電池１１０の電池電圧に基づき二次電池１１０に対する過充電を検出し、過充電検出信号を出力する。過放電検出回路２１２は、二次電池１１０の電池電圧に基づき二次電池１１０からの過放電を検出し、過放電検出信号を出力する。
【００２９】
放電過電流検出回路２１３は、二次電池１１０から流れる電流に基づき放電過電流（過放電）を検出し、過放電検出信号を出力する。充電過電流検出回路２１４は、二次電池１１０へ流れる電流に基づき充電過電流（過充電）を検出し、過充電検出信号を出力する。短絡検出回路２１５は、二次電池１１０と充電器１２０又は負荷１３０との短絡を検出し、短絡検出信号を出力する。
【００３０】
論理回路２２０は、異常検出回路２１０による異常検出信号に基づきトランジスタＭ１０又はトランジスタＭ２０のオン／オフを制御する。論理回路２２０の詳細は後述する。
【００３１】
レジスタ２３０は、異常検出回路２１０により二次電池１１０の異常が検出された回数を記憶する。発振回路２４０は、異常検出回路２１０からの異常検出信号によりオンされてクロック信号を遅延回路２５０へ供給する。遅延回路２５０は、例えばカウンタ等により構成されており、異常検出信号を所定時間遅延させた後に論理回路２２０へ供給する。
【００３２】
レベルシフト回路２６０は、論理回路２２０から出力される信号のレベルをトランジスタＭ２０のオン／オフの制御が可能なレベルにシフトさせる。過大充電器２７０は、端子Ｔ３０と端子Ｔ４０との間に、二次電池１１０に対して過大な電圧を充電する充電器が接続された場合に、これを検知してトランジスタＭ２０をオフし、充電を禁止する。
【００３３】
次に、図２を参照して本実施形態の保護ＩＣ２００の論理回路２２０の機能について説明する。図２は、第一の実施形態の論理回路の機能構成を説明する図である。
【００３４】
本実施形態の論理回路２２０は、異常カウント部２２１、記憶制御部２２２、スイッチ制御部２２３、回数判定部２２４を有する。
【００３５】
異常カウント部２２１は、異常検出回路２１０において二次電池１１０の電池異常が検出された回数をカウントする。本実施形態の異常カウント部２２１は、異常検出回路２１０から異常検出信号が出力されたとき、電池異常を検出したものとしてカウントする。尚本実施形態では、例えば異常検出回路２１０から出力される信号がＨレベルとなったとき、異常検出信号が出力されたものとしても良い。
【００３６】
記憶制御部２２２は、異常検出回路２１０から異常検出信号が出力された回数をレジスタ２３０へ記憶させる。スイッチ制御部２２３は、トランジスタＭ１０又はトランジスタＭ２０のオン／オフを制御する。回数判定部２２４は、レジスタ２３０に記憶された回数が予め設定された所定回数以上か否かを判断する。
【００３７】
以下に本実施形態の保護ＩＣ２００の動作について説明する。始めに本実施形態の保護ＩＣ２００の特徴的な動作の説明に先立ち、保護ＩＣ２００の基本的な動作について説明する。
【００３８】
図３は、第一の実施形態の保護ＩＣの基本的な動作を説明するフローチャートである。
【００３９】
保護ＩＣ２００は、二次電池１１０の状態が通常状態から異常状態となると（ステップＳ３０１）、異常検出回路２１０が電池異常を検出し、異常検出信号を出力する（ステップＳ３０２）。異常検出回路２１０から異常検出信号が出力されると、発振回路２４０はオンされる（ステップＳ３０３）。
【００４０】
保護ＩＣ２００は、異常検出回路２１０が継続して異常検出信号を出力している場合（ステップＳ３０４）、遅延回路２５０に設定された遅延時間が経過したか否かを判断する（ステップＳ３０５）。
【００４１】
ステップＳ３０５において遅延時間が経過すると、異常検出信号は論理回路２２０へ供給される。論理回路２２０は、スイッチ制御部２２３によりトランジスタＭ１０又はトランジスタＭ２０をオフさせる信号を出力する（ステップＳ３０６）。トランジスタＭ１０又はトランジスタＭ２０がオフされると、発振回路２４０はオフされ（ステップＳ３０７）、二次電池１１０の保護状態へ移行する（ステップＳ３０８）。
【００４２】
保護ＩＣ２００は、二次電池１１０の状態が保護解除条件を満たすと、異常検出回路２１０からの異常検出信号の出力が停止する（ステップＳ３０９）。尚本実施形態の保護解除条件とは、例えば二次電池１１０の電池電圧が所定電圧以下となり、過充電状態ではなくなった場合や、二次電池１１０の電圧が所定電圧以上となり、過放電状態ではなくなった場合等である。
【００４３】
異常検出回路２１０からの異常検出信号の出力が停止されると、発振回路２４０は再度オンされる（ステップＳ３１０）。発振回路２４０がオンされた後に異常検出回路２１０から異常検出信号が出力されていない場合（ステップＳ３１１）、遅延回路２５０は遅延時間のカウントを開始する（ステップＳ３１２）。
【００４４】
ステップＳ３１２において遅延時間が経過すると、スイッチ制御部２２３は、ステップＳ３０６でオフしたトランジスタＭ１０又はトランジスタＭ２０をオンとする（ステップＳ３１３）。二次電池１１０は、トランジスタＭ１０又はトランジスタＭ２０がオンされると、保護が解除される。そして保護ＩＣ２００は、発振回路２４０をオフし（ステップＳ３１４）、二次電池１１０を充放電可能な通常状態とする（ステップＳ３１５）。
【００４５】
次に図４を参照して本実施形態の保護ＩＣ２００の特徴的な動作について説明する。図４は、第一の実施形態の保護ＩＣの特徴的な動作を説明するフローチャートである。
【００４６】
図４のステップＳ４０１とステップＳ４０２は、図３のステップＳ３０１とステップＳ３０２と同様であるから説明を省略する。
【００４７】
ステップＳ４０２において、異常検出信号が出力されると、論理回路２２０の異常カウント部２２１は異常出力信号が出力された回数をカウントし、記憶制御部２２２はカウントされた回数をレジスタ２３０へ記憶させる（ステップＳ４０３）。
【００４８】
回数判定部２２４により、異常を検出した異常検出回数が所定回数（ｎ回）以上と判定された場合（ステップＳ４０４）、後述するステップＳ４０８へ進む。ステップＳ４０４において回数判定部２２４により異常検出回数が所定回数未満であると判定された場合、発振回路２４０がオンされる（ステップＳ４０５）。
【００４９】
ステップＳ４０６からステップＳ４１７までの処理は、図３のステップＳ３０４からステップＳ３１５までの処理と同様であるから説明を省略する。
【００５０】
尚本実施形態において、記憶制御部２２２が異常検出回数をレジスタ２３０へ記憶する場合、過充電、過放電等の電池異常の種類を判別せずに異常検出信号が出力された回数のみ記憶させても良い。また本実施形態では、異常カウント部２２１は、電池異常の種類毎の異常検出信号が出力された回数をカウントし、記憶制御部２２２は、レジスタ２３０には電池異常の種類毎に異常検出信号が出力された回数を記憶させても良い。この場合所定回数ｎ回は、電池異常の種類毎に設定されていることが望ましい。
【００５１】
以上に説明したように、本実施形態では、二次電池１１０の電池異常を検出した回数に基づき二次電池１１０を保護状態とするか否かを判定する。このため本実施形態によれば、実使用上の要因によりカウンタがオフされた場合にも、二次電池を適切なタイミングで保護状態することができ、電池パックの使用上の安全性をより向上させることができる。
【００５２】
（第二の実施形態）
以下に図面を参照して本発明の第二の実施形態について説明する。本発明の第二の実施形態では、異常検出回数に基づき遅延時間を変更できる点が第一の実施形態と相違する。よって以下の本発明の第二の実施形態では、第一の実施形態との相違点についてのみ説明し、第一の実施形態と同様の機能構成を有するものには第一の実施形態の説明で用いた符号と同様の符号を付与し、その説明を省略する。
【００５３】
図５は、第二の実施形態の論理回路の機能構成を説明する図である。
【００５４】
本実施形態の論理回路２２０Ａは、異常カウント部２２１、記憶制御部２２２、スイッチ制御部２２３、回数判定部２２４、遅延時間設定部２２５を有する。
【００５５】
本実施形態の異常カウント部２１２１は、スイッチ制御部２２３によりトランジスタＭ１０又はトランジスタＭ２０がオフされた回数を異常検出回数としてカウントする。本実施形態の遅延時間設定部２２５は、異常検出回数に基づき、予め設定された遅延時間を変更する。本実施形態の遅延時間設定部２２５には、例えば異常検出回数と、異常検出回数と対応した遅延時間とが記憶されている。遅延時間設定部２２５は、異常検出回数が設定された回数と同じになると、設定された回数と対応した遅延時間を遅延回路２５０へ設定する。
【００５６】
以下に図６を参照して本実施形態の論理回路２２０Ａの動作を説明する。図６は、第二の実施形態の保護ＩＣの動作を説明するフローチャートである。
【００５７】
図６のステップＳ６０１からステップＳ６０４までの処理は、図３のステップＳ３０１からステップＳ３０４までの処理と同様であるから説明を省略する。
【００５８】
ステップＳ６０４において異常検出信号が出力されている場合、回数判定部２２４は、レジスタ２３０に記憶された異常検出回数が所定回数ｎ回以上であるか否かを判定する（ステップＳ６０５）。ステップＳ６０５において異常検出回数が所定回数ｎ未満の場合、論理回路２２０Ａは、遅延回路２５０に設定された遅延時間（以下、遅延時間１）が経過した後（ステップＳ６０６）、スイッチ制御部２２３によりトランジスタＭ１０又はトランジスタＭ２０をオフにする（ステップＳ６０７）。
【００５９】
ステップＳ６０５において異常検出回数が所定回数ｎ回以上の場合、論理回路２２０Ａは、遅延時間設定部２２５により、遅延時間１よりも短い遅延時間２を遅延回路２５０に設定する（ステップＳ６０８）。尚遅延時間２は、所定回数ｎ回と対応付けられて遅延時間設定部２２５に保持されていても良い。
【００６０】
論理回路２２０Ａは、遅延時間２が経過した後（ステップＳ６０９）、ステップＳ６０７へ進み、スイッチ制御部２２３によりトランジスタＭ１０又はトランジスタＭ２０をオフにする。
【００６１】
トランジスタＭ１０又はトランジスタＭ２０がオフにされると、異常カウント部２２１は、二次電池１１０の電池異常を検出したものとして、記憶制御部２２２により異常検出回数をレジスタ２３０へ記憶させる（ステップＳ６１０）。
【００６２】
図６のステップＳ６１１からステップＳ６１９までの処理は、図４のステップＳ４０９からステップＳ４１７までの処理と同様であるから説明を省略する。
【００６３】
このように本実施形態では、異常検出回数に対応して遅延時間を変更することができる。本実施形態では、異常検出回数が増えた場合に、遅延時間を短くすることで、二次電池１１０が劣化した場合等にも適切なタイミングで二次電池１１０を保護することができる。また本実施形態は、第一の実施形態と組み合わせて本発明に適用することができる。
【００６４】
（第三の実施形態）
以下に図面を参照して本発明の第三の実施形態について説明する。本発明の第三の実施形態では、異常検出回数に基づき二次電池の保護の解除を制御する点が第一の実施形態と相違する。よって以下の本発明の第三の実施形態では、第一の実施形態との相違点についてのみ説明し、第一の実施形態と同様の機能構成を有するものには第一の実施形態の説明で用いた符号と同様の符号を付与し、その説明を省略する。
【００６５】
図７は、第三の実施形態の論理回路の機能構成を説明する図である。
【００６６】
本実施形態の論理回路２２０Ｂは、異常カウント部２２１、記憶制御部２２２、スイッチ制御部２２３、回数判定部２２４、解除判断部２２６を有する。
【００６７】
本実施形態の異常カウント部２１２１は、スイッチ制御部２２３によりトランジスタＭ１０又はトランジスタＭ２０がオフされた回数を異常検出回数としてカウントする。本実施形態の解除判断部２２６は、二次電池１１０の保護を解除するか否かを判断する。本実施形態の解除判断部２２６は、二次電池１１０の状態が通常状態となった場合にも、異常検出回数が所定回数以上であった場合には二次電池１１０の保護を解除しない。
【００６８】
以下に図８を参照して本実施形態の論理回路２２０Ｂの動作を説明する。図８は、第三の実施形態の保護ＩＣの動作を説明するフローチャートである。
【００６９】
図８のステップＳ８０１からステップＳ８０６のまでの処理は、図３のステップＳ３０１からステップＳ３０６までの処理と同様であるから説明を省略する。
【００７０】
トランジスタＭ１０又はトランジスタＭ２０がオフされると、異常カウント部２２１は、異常を検出した回数をカウントする（ステップＳ８０７）。
【００７１】
ステップＳ８０８からステップＳ８１０までの処理は、図３のステップＳ３０７からステップＳ３０９までの処理と同様であるから説明を省略する。
【００７２】
ステップＳ８１０において異常検出信号が出力されていない場合、回数判定部２２４はレジスタ２３０に記憶された異常検出回数が所定回数ｎ未満か否かを判定する（ステップＳ８１１）。ステップＳ８１１において異常検出回数が所定回数ｎ未満の場合、発振回路２４０をオフにする（ステップＳ８１２）。ステップＳ８１１において異常検出回数が所定回数ｎ以上の場合、ステップＳ８０９に戻り、二次電池１１０の保護を継続する。
【００７３】
ステップＳ８１３からステップＳ８１７までの処理は、図３のステップＳ３１１からステップＳ３１５までの処理と同様であるから説明を省略する。
【００７４】
このように本実施形態では、異常検出回数が所定回数以上の場合には、二次電池１１０の保護を継続する。よって本実施形態では、電池パックの使用上の安全性をより向上させることができる。また本実施形態は、第一の実施形態、第二の実施形態と組み合わせて本発明に適用することができる。
【００７５】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００７６】
１００  保護回路
２００  保護ＩＣ
２１０  異常検出回路
２２０、２２０Ａ、２２０Ｂ  論理回路
２２１  異常カウント部
２２２  記憶制御部
２２３  スイッチ制御部
２２４  回数判定部
２２５  遅延時間設定部
２２６  解除判断部
２３０  レジスタ
２４０  発振回路
２５０  遅延回路
【図１】
2010259125.tif 000003
【図２】
2010259125.tif 000004
【図３】
2010259125.tif 000005
【図４】
2010259125.tif 000006
【図５】
2010259125.tif 000007
【図６】
2010259125.tif 000008
【図７】
2010259125.tif 000009
【図８】
2010259125.tif 000010